(57)【要約】【課題】本発明は、ファクシミリ送信時の誤送信を防止すると共に、ユーザの作業負荷を軽減することが可能なファクシミリ装置を提供する。【解決手段】ファクシミリ受信した際に、通知された発信者番号とＴＳＩ信号に含まれるＦＡＸ番号（Ｈ）とを対応付けてヘッダー情報ＤＢ１４に記憶する。そして、受信した原稿に印字されたヘッダー情報に基づいて当該原稿の返信を行う際に、ダイヤルした電話番号、該ヘッダー情報から抽出されたＦＡＸ番号（Ｈ）及びヘッダー情報ＤＢ１４から取得した発信者番号を比較して、送信元の電話番号の正否判定を行う。【選択図】図１１ｂ
2010109809.tif 000002
【特許請求の範囲】
【請求項１】
原稿の画像情報を読み取って送信すると共に、予め登録された自己のファクシミリ番号を送信し、送信された原稿の画像情報及び送信元のファクシミリ番号を表す送信元番号を受信して記録紙に記録するファクシミリ装置において、
前記記録紙から画像情報を読み取る読取手段と、
前記読み取った画像情報から送信元番号を抽出する抽出手段と、
前記抽出された送信元番号に対応する発信者番号を取得する取得手段と、
前記取得手段による取得結果に応じて、前記読み取った画像情報を送信する送信元の電話番号を判定する判定手段と、
前記判定手段により判定された送信元に、前記読み取った画像情報を送信する送信手段とを備えることを特徴とするファクシミリ装置。
【請求項２】
前記画像情報の送信元の電話番号を入力するための入力手段を更に備え、
前記判定手段は、前記入力手段から入力された電話番号と前記取得手段による取得結果に応じて、前記読み取った画像情報を送信する送信元の電話番号を判定することを特徴とする請求項１記載のファクシミリ装置。
【請求項３】
前記判定手段は、前記入力された電話番号と前記取得された発信者番号とが同一か否かを判定し、同一であったときに、当該入力された電話番号が正しい送信元の電話番号と判断することを特徴とする請求項２記載のファクシミリ装置。
【請求項４】
前記判定手段は、前記取得手段が前記送信元番号に対応する発信者番号を取得できたときに、前記同一か否かを判定することを特徴とする請求項３記載のファクシミリ装置。
【請求項５】
前記判定手段は、前記入力された電話番号と前記抽出された送信元番号とが同一か否かを判定し、同一であったときに、当該入力された電話番号が正しい送信元の電話番号と判断することを特徴とする請求項２記載のファクシミリ装置。
【請求項６】
前記判定手段は、前記取得手段が前記送信元番号に対応する発信者番号を取得できなかったときに、前記同一か否かを判定することを特徴とする請求項５記載のファクシミリ装置。
【請求項７】
前記取得手段が前記送信元番号に対応する複数の発信者番号を取得した場合、前記入力された電話番号と前記複数の発信者番号を表示する第１の表示手段と、
前記第１の表示手段に表示された電話番号または複数の発信者番号のいずれか１つを選択するための第１の選択手段とを更に備え、
前記判定手段は、前記第１の選択手段により選択された電話番号または発信者番号を正しい送信元の電話番号と判断することを特徴とする請求項２乃至６のいずれか１項に記載のファクシミリ装置。
【請求項８】
前記入力された電話番号と前記抽出された送信元番号または前記入力された電話番号と前記取得された発信者番号の少なくとも一方が同一でない場合は、当該入力された電話番号を送信元の電話番号とするかまたは送信先を変更するかを選択させるための第２の表示手段をさらに備えることを特徴とする請求項２乃至７のいずれか１項の記載のファクシミリ装置。
【請求項９】
前記判定手段は、前記抽出された送信元番号と前記取得された発信者番号とが同一か否かを判定し、同一であったときに、当該抽出された電話番号が正しい送信元の電話番号と判断することを特徴とする請求項１記載のファクシミリ装置。
【請求項１０】
前記取得手段が前記送信元番号に対応する複数の発信者番号を取得した場合、前記抽出された送信元番号と前記複数の発信者番号を表示する第３の表示手段と、
前記第３の表示手段に表示された送信元番号または複数の発信者番号のいずれか１つを選択するための第２の選択手段とを更に備え、
前記判定手段は、前記第２の選択手段により選択された送信元番号または発信者番号を正しい送信元の電話番号と判断することを特徴とする請求項９記載のファクシミリ装置。
【請求項１１】
前記送信された画像情報を受信する画像情報受信手段と、
前記受信した画像情報に対応して、送信元で登録された送信元番号を含む送信元情報を受信する送信元情報受信手段と、
発信者番号を受信する発信者番号受信手段と、
前記受信した送信元情報に含まれる送信元番号と前記受信した発信者番号とを対応付けて記憶する記憶手段と、
前記記録紙の端部に前記送信元情報を印字する印字手段とをさらに備え、
前記取得手段は、前記記憶手段から前記送信元番号に対応する発信者番号を取得することを特徴とする請求項１乃至１０のいずれか１項に記載のファクシミリ装置。
【請求項１２】
前記記憶手段は、前記記憶手段に記憶された送信元番号と発信者番号の追加登録及び変更を禁止する変更禁止フラグを設定することを特徴とする請求項１１記載のファクシミリ装置。
【請求項１３】
前記送信元情報には、前記画像情報が送信された日時情報が含まれ、
前記抽出手段は、前記画像情報から複数の送信元番号を抽出した場合、該送信元番号に対応する日時情報をそれぞれ抽出して比較を行い、日時の新しい方を送信元番号とすることを特徴とする請求項１１または１２記載のファクシミリ装置。
【請求項１４】
原稿の画像情報を読み取って送信すると共に、予め登録された自己のファクシミリ番号を送信し、送信された原稿の画像情報及び送信元のファクシミリ番号を表す送信元番号を受信して記録紙に記録するファクシミリ装置の通信方法において、
前記記録紙から画像情報を読み取る読取工程と、
前記読み取った画像情報から送信元番号を抽出する抽出工程と、
前記抽出された送信元番号に対応する発信者番号を取得する取得工程と、
前記取得工程における取得結果に応じて、前記読み取った画像情報を送信する送信元の電話番号を判定する判定工程と、
前記判定工程にて判定された送信元に、前記読み取った画像情報を送信する送信工程とを備えることを特徴とする通信方法。
【請求項１５】
前記送信された画像情報を受信する画像情報受信工程と、
前記受信した画像情報に対応して、送信元で登録された送信元番号を含む送信元情報を受信する送信元情報受信工程と、
発信者番号を受信する発信者番号受信工程と、
前記受信した送信元情報に含まれる送信元番号と前記受信した発信者番号とを対応付けて記憶手段に登録する登録工程と、
前記記録紙の端部に前記送信元情報を印字する印字工程とをさらに備え、
前記取得工程は、前記記憶手段から前記送信元番号に対応する発信者番号を取得することを特徴とする請求項１４記載の通信方法。
【請求項１６】
請求項１４または１５記載の通信方法をコンピュータに実行させるためのコンピュータに読み取り可能なプログラム。
【請求項１７】
原稿の画像情報を読み取って送信すると共に、予め登録された自己のファクシミリ番号を送信し、送信された原稿の画像情報及び送信元のファクシミリ番号を表す送信元番号を受信して記録紙に記録するファクシミリ装置が互いに通信回線を介して接続されたファクシミリシステムにおいて、
前記ファクシミリ装置は、前記記録紙から画像情報を読み取る読取手段と、
前記読み取った画像情報から送信元番号を抽出する抽出手段と、
前記抽出された送信元番号に対応する発信者番号を取得する取得手段と、
前記取得手段による取得結果に応じて、前記読み取った画像情報を送信する送信元の電話番号を判定する判定手段と、
前記判定手段により判定された送信元の他のファクシミリ装置に、前記読み取った画像情報を送信する送信手段と、
前記他のファクシミリ装置から送信された画像情報を受信する画像情報受信手段と、
前記受信した画像情報に対応して、送信元で登録された送信元番号を含む送信元情報を受信する送信元情報受信手段と、
発信者番号を受信する発信者番号受信手段と、
前記受信した送信元情報に含まれる送信元番号と前記受信した発信者番号とを対応付けて記憶する記憶手段と、
前記記録紙の端部に前記送信元情報を印字する印字手段とを備え、
前記取得手段は、前記記憶手段から前記送信元番号に対応する発信者番号を取得することを特徴とするファクシミリシステム。
【発明の詳細な説明】
【技術分野】
【０００１】
本発明は、ファクシミリ装置及びその通信方法、プログラム、並びにファクシミリシステムに関し、特に、通信回線を経由して画像情報を送受信するファクシミリ装置及びその通信方法、プログラム、並びにファクシミリシステムに関する。
【背景技術】
【０００２】
近年、個人情報の保護や情報漏洩の防止という観点で、ファクシミリの誤送信を防止する必要性が高まっている。ファクシミリ装置の誤送信を防止する方法としては、例えば、ファクシミリ送信時に、ＦＡＸ原稿に先立って送信されたファクシミリ送信状からファクシミリ番号及び宛先名を文字（光学）認識し、認識されたファクシミリ番号及び宛先名と、当該ファクシミリ装置に予め登録された送信先に関するアドレス情報とを比較することによって、該ファクシミリ番号及び宛先名に誤りがないかを判定する方法が提案されている（例えば、特許文献１参照）。
【特許文献１】特開２０００−１８４００７号公報
【発明の開示】
【発明が解決しようとする課題】
【０００３】
しかしながら、上記特許文献１記載のファクシミリ装置では、ファクシミリ送信状を作成することが前提となる。また、ファクシミリ送信状を受信したファクシミリ装置では、返信時に、ＦＡＸ原稿或いはファクシミリ送信状の判断が必要になると共に、ファクシミリ送信状に対してＯＣＲ認識を行う箇所またはファクシミリ番号及び宛先名の記載箇所を予め設定する必要がある。
【０００４】
また、業務によっては、ファクシミリ送信状を使用せず、ファクシミリ装置を用いて取引を行うケースがある。例えば、ファクシミリ装置を用いて、相手先へ納期を問い合わせ、回答のみを簡潔に記載して返信するようなケースがある。
【０００５】
更に、一般的なファクシミリ装置においては、ユーザインターフェースを用いて、ファクシミリ装置そのものに自己のファクシミリ番号を登録することによって、ＦＡＸ原稿の送信時に、登録されたファクシミリ番号を該原稿のヘッダー部分に印字することで、送信元を明確化している。
【０００６】
そのため、アドレス情報をファクシミリ送信状へ記載するための作業やファクシミリ番号をファクシミリ装置へ登録する作業、送信先が正しいか否かを判定するためのアドレス情報をファクシミリ装置へ登録する作業等が重複して発生してしまうと共に、これらの情報の整合性を保つ管理作業をユーザが行わなければならず、過大な労力を要してしまう。
【０００７】
また、引越し等でファクシミリ装置を移動するなどして、ファクシミリ番号が変更になったにも拘わらず、ファクシミリ装置に新規のファクシミリ番号を登録するのを忘れた場合、ＦＡＸ原稿のヘッダー部分には、引越し前のファクシミリ番号が印字される。これによって、ＦＡＸ原稿のヘッダー部分に印字されるファクシミリ番号とファクシミリ送信状に記載したアドレス情報とが異なり、発呼端末側へＦＡＸ原稿を返信する際に、ユーザが戸惑う可能性も高くなる。
【０００８】
本発明は、上記問題を解決するためになされたものであり、ファクシミリ送信時の誤送信を防止すると共に、ユーザの作業負荷を軽減することが可能なファクシミリ装置及びその通信方法、プログラム、並びにファクシミリシステムを提供することを目的とする。
【課題を解決するための手段】
【０００９】
上記目的を達成するために、請求項１記載のファクシミリ装置は、原稿の画像情報を読み取って送信すると共に、予め登録された自己のファクシミリ番号を送信し、送信された原稿の画像情報及び送信元のファクシミリ番号を表す送信元番号を受信して記録紙に記録するファクシミリ装置において、前記記録紙から画像情報を読み取る読取手段と、前記読み取った画像情報から送信元番号を抽出する抽出手段と、前記抽出された送信元番号に対応する発信者番号を取得する取得手段と、前記取得手段による取得結果に応じて、前記読み取った画像情報を送信する送信元の電話番号を判定する判定手段と、前記判定手段により判定された送信元に、前記読み取った画像情報を送信する送信手段とを備えることを特徴とする。
【００１０】
上記目的を達成するために、請求項１４記載のファクシミリ装置の通信方法は、原稿の画像情報を読み取って送信すると共に、予め登録された自己のファクシミリ番号を送信し、送信された原稿の画像情報及び送信元のファクシミリ番号を表す送信元番号を受信して記録紙に記録するファクシミリ装置の通信方法において、前記記録紙から画像情報を読み取る読取工程と、前記読み取った画像情報から送信元番号を抽出する抽出工程と、前記抽出された送信元番号に対応する発信者番号を取得する取得工程と、前記取得工程における取得結果に応じて、前記読み取った画像情報を送信する送信元の電話番号を判定する判定工程と、前記判定工程にて判定された送信元に、前記読み取った画像情報を送信する送信工程とを備えることを特徴とする。
【００１１】
上記目的を達成するために、請求項１７記載のファクシミリシステムは、原稿の画像情報を読み取って送信すると共に、予め登録された自己のファクシミリ番号を送信し、送信された原稿の画像情報及び送信元のファクシミリ番号を表す送信元番号を受信して記録紙に記録するファクシミリ装置が互いに通信回線を介して接続されたファクシミリシステムにおいて、前記ファクシミリ装置は、前記記録紙から画像情報を読み取る読取手段と、前記読み取った画像情報から送信元番号を抽出する抽出手段と、前記抽出された送信元番号に対応する発信者番号を取得する取得手段と、前記取得手段による取得結果に応じて、前記読み取った画像情報を送信する送信元の電話番号を判定する判定手段と、前記判定手段により判定された送信元に、前記読み取った画像情報を送信する送信手段と、前記送信された画像情報を受信する画像情報受信手段と、前記受信した画像情報に対応して、送信元で登録された送信元番号を含む送信元情報を受信する送信元情報受信手段と、発信者番号を受信する発信者番号受信手段と、前記受信した送信元情報に含まれる送信元番号と前記受信した発信者番号とを対応付けて記憶する記憶手段と、前記記録紙の端部に前記送信元情報を印字する印字手段とを備え、前記取得手段は、前記記憶手段から前記送信元番号に対応する発信者番号を取得することを特徴とする。
【発明の効果】
【００１２】
本発明によれば、ファクシミリ送信時の誤送信を防止すると共に、ユーザの作業負荷を軽減することができる。
【発明を実施するための最良の形態】
【００１３】
以下、本発明の実施の形態を図面を参照して詳細に説明する。
【００１４】
［第１の実施形態］
図１は、本発明の第１の実施形態に係るファクシミリ装置の機能構成を示すブロック図である。
【００１５】
ファクシミリ装置１００は、ファクシミリ装置全体を制御する制御部１、電話番号登録やファクシミリの送信等の指示操作を受け付けたり、操作中の装置の状態や通信結果／通信記録等の表示を行ったりするＵＩ（ユーザインターフェース）部２、送信するＦＡＸ原稿（以下、単に「原稿」とする）を読み取る読取部３、通信回線（公衆回線）４に接続され、該通信回線４の接続制御等の通信制御を行う回線制御部５、ＬＡＮ（ローカルエリアネットワーク）６に接続され、ＬＡＮ６へのデータの送受信を制御するネットワーク制御部７、及びＬＡＮ６を介して受信した画像情報等を印刷する印刷部８を備える。
【００１６】
制御部１は、制御部１の主要な動作を実行するための機能ブロックとして、プログラム格納部１１、発信者番号認識部１２、ＴＳＩ信号認識部１３、ヘッダー情報ＤＢ１４、ヘッダー情報ＤＢ制御部１５、ＯＣＲ認識部１６、及び条件判定部１７を備えている。これらの各機能ブロックは、後述するＣＰＵ２０が、プログラム格納部１１に格納された該当するプログラムを実行することにより実現される。この構成により、制御部１は、後述する、ファクシミリ受信した原稿のヘッダー部分に印字された発呼端末側のファクシミリ番号（ＦＡＸ番号）やファクシミリ送信時の日時等を表すヘッダー情報（送信元情報）のヘッダー情報ＤＢ１４への自動登録や、ファクシミリ送信時の誤送信防止のための条件判定等を実行する。
【００１７】
発信者番号認識部１２は、着信時に発呼側回線から通知される発信者番号を認識する機能を持つ。なお、発信者番号の通知は、発呼端末が発信を開始し、着呼側の電話装置やファクシミリ装置に着信するまでの間に行われる。一方、後述するＴＳＩ信号に含まれる電話番号情報の通知は、着信した後、ファクシミリデータ（画像情報）の送受信が開始されるまでの間に行われる。なお、電話番号情報には、ユーザによってファクシミリ装置に自己のファクシミリ番号として登録された番号を含むものとする。
【００１８】
ＴＳＩ信号認識部１３は、着信後に行われる端末同士の通信において、発呼端末から電話番号情報（ＴＳＩ）が送られてきたかどうかを判定する機能を持つ。なお、ＴＳＩ信号（送信元情報）に含まれる電話番号情報（以下、「ＦＡＸ番号（Ｈ）」とする）は発呼端末側で設定される情報で、受信した原稿の上端部にヘッダー情報として印字される。
【００１９】
ヘッダー情報ＤＢ１４には、原稿のヘッダー情報として、発呼端末のＦＡＸ番号（Ｈ）と発信者番号（送信元番号）が格納される。ヘッダー情報ＤＢ制御部１５では、ヘッダー情報ＤＢ１４に格納された情報の追加、更新、検索、削除等を行うことができる。なお、ヘッダー情報ＤＢ１４とヘッダー情報ＤＢ制御部１５については、ネットワーク上のサーバにそれらを設けて、複数のファクシミリ装置に関するヘッダー情報を一括して管理するように構成されていてもよい。
【００２０】
ＯＣＲ認識部１６は、ファクシミリ送信時に送信原稿をＯＣＲ認識し、送信先のファクシミリ番号を認識する機能を持つ。条件判定部１７は、ファクシミリ送信時に宛先に誤りがないか判定する機能を持つ。
【００２１】
図２は、図１のファクシミリ装置１００のハードウェア構成を示すブロック図である。
【００２２】
図２において、ＣＰＵ２０は、システムバス３４に接続される各デバイスやコントローラを統括的に制御する。ＲＯＭ２１には、各デバイスやコントローラを統括的に制御するための制御プログラムが格納されている。ＲＡＭ２２は、ＲＯＭ２１に格納されたプログラムに従ってＣＰＵ２０が処理を実行する際に利用するデータを一時的に保持するワークエリアとして使用される。
【００２３】
ネットワークインターフェース２３は、ネットワークに接続可能なネットワークアダプタ（不図示）を有し、ＬＡＮ６を介して種々のデータ（画像データ、ファクシミリデータ、及び制御データを含む）を外部制御装置３２に送受信するためのインターフェースである。モデム２４は、通信回線を介してファクシミリデータを通信相手端末３３と送受信するためのインターフェースである。なお、通信相手端末３３には発呼端末が含まれる。
【００２４】
入力インターフェース２５は、タッチパネル、テンキーなどのユーザインターフェース装置２６からの入出力を制御する。ユーザは、ユーザインターフェース装置２６上のテンキーを操作して送信元のファクシミリ番号（電話番号）を入力することにより、いわゆるダイヤル操作を行うことができる。プリンタ制御部２７は、画像出力部２８の動作（プリント動作）を制御する。スキャナ制御部２９は、画像読取部３０の動作（スキャン動作）を制御するものである。画像処理部３１は、画像読取部３０で読み取られた画像データに対して、所定の画像処理（階調補正処理や斜行補正処理など）を施す。
【００２５】
外部制御装置３２は、ファクシミリ装置１００で送受信したファクシミリデータ（画像情報）の画像データを保存し、必要に応じて検索・表示する機能を有する。なお、本実施形態では、ファクシミリデータの画像データを外部制御装置３２に保存しているが、これに限定されず、ファクシミリ装置内のＲＡＭ２２等に保存してもよい。
【００２６】
図３は、送信したＦＡＸ原稿が利用されて送信先から返信されたＦＡＸ原稿の一例を示す図である。
【００２７】
同じ原稿に追記して送受信を繰り返すと、図示例のように、原稿に複数のヘッダー情報が印字される。また、上端だけではなく、下端にもヘッダー情報が印字される場合もあるが、これは送信する側が原稿を上下反転してセットしたときに起こりうる。例えば、図３は、ＡＢＣ株式会社からＸＹＺ事務機株式会社に納期問い合わせをして回答があった場合の例である。まず、ＡＢＣ株式会社から納期確認のファクシミリを送信した際に、原稿の上端に「２００８年９月１３日  １３：０４  ＡＢＣカブシキカイシャ  ０３−１２３４−５６７７」としてヘッダー情報が印字される。
【００２８】
次に、ＸＹＺ事務機株式会社より「在庫あります」とコメントを書き加えて返信するが、原稿を上下反転してセットしたため、ヘッダー情報は原稿の下端に「２００８年９月１４日  ０９：２１  ＸＹＺジムキ    ０３−１２３４−５５５５」と印字される。なお、図示してはいないが、原稿の上下端ばかりでなく、原稿が装置に読み込まれる方向に応じて、原稿の左右端に印字される場合もあり得る。
【００２９】
図１のファクシミリ装置１００では、制御部１が、ファクシミリ受信時に受信した原稿のヘッダー情報をヘッダー情報ＤＢ１４に自動的に登録する。ヘッダー情報ＤＢ１４に登録されるヘッダー情報を図８（ａ）と図８（ｂ）に示す。
【００３０】
ヘッダー情報ＤＢ１４は、発呼端末（例えば、通信相手端末３３）の発信者番号とＦＡＸ番号（Ｈ）とが対応して格納されたデータベース（以下、「ＤＢ」とする）である。通常、ＦＡＸ番号（Ｈ）と発信者番号は１対１で対応するので、例えば、図８（ａ）のＲ１のようになる。
【００３１】
ところが、ファクシミリ装置の移転などでＦＡＸ番号（Ｈ）が変わったが、ファクシミリ装置に登録されているＦＡＸ番号（Ｈ）が変更されていなかった場合は、図８（ａ）のＲ２、Ｒ３のように、同じＦＡＸ番号（Ｈ）に複数の発信者番号を対応付けてヘッダー情報ＤＢ１４に登録されることがある。このような場合、本実施形態では、ファクシミリ送信時に図１３または図１７のような宛先確認画面が表示されるが、詳細については後述する。
【００３２】
一方、発呼端末側で正しくＦＡＸ番号（Ｈ）を設定していても、ＦＡＸ番号（Ｈ）と発信者番号が１対１で対応しない場合がある。例えば、ビルに備え付けられた交換機を経由して通信を行っている場合、交換機で設定された発信者番号が、その交換機すべての回線に適用されることから、図８（ａ）に示すＲ４とＲ５のように、ＦＡＸ番号（Ｈ）と発信者番号とが１対１で対応しない。
【００３３】
Ｒ４とＲ５は、発呼端末側がそれぞれ正しくＦＡＸ番号（Ｈ）を設定しているにもかかわらず、発呼側回線の交換機で設定された発信者番号「０３９９９９１１１１」が一律に通知され、ヘッダー情報ＤＢ１４に登録された例である。この状態で「０３９９９９２２２２」を正しくダイヤルしても、図１２または図１６のような確認画面が表示される（詳細については後述する）。そこで、後述するメンテナンス処理を行うことにより、例えば、図８（ａ）のＲ５を図８（ｂ）のＲ６のように変更する。
【００３４】
しかし、再び「０３９９９９２２２２」からファクシミリを受信した場合、発呼側回線の交換機で設定された発信者番号「０３９９９９１１１１」がヘッダー情報ＤＢ１４に追加登録されてしまう。本実施形態では、ヘッダー情報ＤＢ１４に登録されたＦＡＸ番号（Ｈ）に対して誤った発信者番号が登録されるのを防ぐために、後述するメンテナンス処理により、図８（ｂ）に示すように、ヘッダー情報ＤＢ１４に登録されたＦＡＸ番号（Ｈ）と発信者番号の追加登録や変更を禁止するための変更禁止フラグを設定することができる。
【００３５】
次に、図１のファクシミリ装置１００におけるファクシミリ受信処理について図９を参照して説明する。
【００３６】
図９は、図１のファクシミリ装置１００におけるファクシミリ受信処理を示すフローチャートである。なお、本実施形態では、ファクシミリ装置の一般的な通信処理のうち、本発明と関連のない処理についてはその説明を省略する。
【００３７】
まず、ファクシミリ装置１００は、通信相手端末３３からの着信（ステップＳ１００）を受けた際、発信者番号認識部１２にて、発信者番号の通知があるかどうかを判定する（ステップＳ１０１）。発信者番号の通知がなかったと判定した場合（非通知、表示圏外、公衆電話など）は、受信したファクシミリデータの画像データを外部制御装置３２に保存（ステップＳ１１１）した後、通常のファクシミリ受信処理（ステップＳ１１２）を行う。
【００３８】
一方、発信者番号の通知があったと判定した場合は、通知された発信者番号をＲＡＭ２２に記憶する（ステップＳ１０２）。
【００３９】
次に、ファクシミリ受信処理の過程でＴＳＩ信号を受信（ステップＳ１０３）すると、ＴＳＩ信号認識部１３によりＴＳＩ信号にＦＡＸ番号（Ｈ）が含まれているかどうかを判定する（ステップＳ１０４）。ＦＡＸ番号（Ｈ）が含まれていないと判定した場合は、受信したファクシミリデータの画像データを外部制御装置３２に保存（ステップＳ１１１）した後、通常のファクシミリ受信処理（ステップＳ１１２）を行う。一方、ＦＡＸ番号（Ｈ）が含まれていると判定した場合は、ＦＡＸ番号（Ｈ）をＲＡＭ２２に記憶する（ステップＳ１０５）。
【００４０】
ステップＳ１０６では、ヘッダー情報ＤＢ制御部１５によりヘッダー情報ＤＢ１４を検索し、ヘッダー情報ＤＢ１４にＦＡＸ番号（Ｈ）が登録済みであるかどうかを判定する。ヘッダー情報ＤＢ１４にＦＡＸ番号（Ｈ）が登録されていないと判定した場合は、ヘッダー情報ＤＢ制御部１５によりヘッダー情報ＤＢ１４にＦＡＸ番号（Ｈ）と発信者番号が追加登録される（ステップＳ１０７）。その後、受信したファクシミリデータの画像データを外部制御装置３２に保存（ステップＳ１１３）して、ステップＳ１１４へ移行する。
【００４１】
一方、ヘッダー情報ＤＢ１４にＦＡＸ番号（Ｈ）が登録されていると判定した場合は、ＦＡＸ番号（Ｈ）に変更禁止が設定されているかを判定する（ステップＳ１０８）。ここでは、図８（ｂ）に示すヘッダー情報ＤＢ１４を参照し、登録されているＦＡＸ番号（Ｈ）に対応する変更禁止フラグが「１」か「０」かを判定する。変更禁止フラグが「１」であれば変更禁止であり、「０」であれば変更が許可されている。変更禁止が設定されていると判定した場合は、受信したファクシミリデータの画像データを外部制御装置３２に保存（ステップＳ１１３）した後、ステップＳ１１４へ移行する。
【００４２】
一方、変更禁止が設定されていないと判定した場合は、ヘッダー情報ＤＢ１４に発信者番号が登録済みであるかどうかを判定する（ステップＳ１０９）。すでに登録済みであると判定した場合は、受信したファクシミリデータの画像データを外部制御装置３２に保存（ステップＳ１１３）した後、ステップＳ１１４へ移行する。
【００４３】
一方、ヘッダー情報ＤＢ１４に発信者番号の登録がなされていないと判定した場合は、ヘッダー情報ＤＢ制御部１５によりヘッダー情報ＤＢ１４に発信者番号を追加登録（ステップＳ１１０）し、受信したファクシミリデータの画像データを外部制御装置３２に保存（ステップＳ１１１）した後、ステップＳ１１４へ移行する。
【００４４】
ステップＳ１１３の後、印刷部８は、記録紙の端部にヘッダー情報を印字して（ステップＳ１１４）、処理を終了する。
【００４５】
次に、ヘッダー情報ＤＢ１４に登録された情報を手動でメンテナンスするための処理について図４〜図７及び図１０ａ〜図１０ｃを参照して説明する。
【００４６】
図４〜図７は、ヘッダー情報ＤＢ１４に登録された情報をメンテナンスする際にＵＩ部２に表示されるメンテナンス画面の一例を示す図である。図１０ａ〜図１０ｃは、ヘッダー情報ＤＢ１４のメンテナンス時の処理の一例を示すフローチャートである。
【００４７】
図１０ａにおいて、まず、ＵＩ部２がユーザからの操作に応じて図４に示すメンテナンス画面４００を表示する（ステップＳ４００）。次に、メンテナンス画面４００上のＦＡＸ番号（Ｈ）入力欄４１にメンテナンス対象のＦＡＸ番号（Ｈ）が入力され、検索ボタン４２が押下されると、ヘッダー情報ＤＢ制御部１５によりヘッダー情報ＤＢ１４を検索する（ステップＳ４０１）。なお、メンテナンス対象のＦＡＸ番号の入力方法については、登録済みのＦＡＸ番号（Ｈ）をリスト表示し、その中から選択させるようにしてもよい。
【００４８】
次に、ＵＩ部２にて、ステップＳ４０１で検索された結果（変更禁止区分、発信者番号）が表示される（ステップＳ４０２）。ヘッダー情報ＤＢ１４から検索された情報の変更禁止フラグが「１」（編集禁止）に設定されている場合は、変更禁止のチェックボックス４３にチェックが入っており、発信者番号一覧４４に表示されているすべての発信者番号が編集できないようになる。この場合、変更禁止のチェックボックス４３のチェックをはずすことにより（ステップＳ４０４）、発信者番号一覧４４に表示された発信者番号を編集可能となり、変更ボタン４５、削除ボタン４６、追加ボタン４７の各ボタンが押下可能となる（ステップＳ４０５）。
【００４９】
一方、ヘッダー情報ＤＢ１４から検索された情報の変更禁止フラグが「０」（編集可能）に設定されている場合には、変更禁止のチェックボックス４３が空欄となり、発信者番号一覧４４に表示された発信者番号を編集可能となる。
【００５０】
図１０ｂにおいて、メンテナンス画面４００上の変更ボタン４５が押下された場合（ステップＳ４０７で変更）、ＵＩ部２に図５に示す発信者番号変更画面５００が表示される（ステップＳ４０８）。この発信者番号変更画面５００上の番号入力欄５０１に、変更する番号が入力され（ステップＳ４１１）、ＯＫボタン５０２が押下されると（ステップＳ４１３でＯＫ）、入力された内容に基づいてヘッダー情報ＤＢ制御部１５がヘッダー情報ＤＢ１４の登録情報を変更（更新）する（ステップＳ４１６）。
【００５１】
一方、メンテナンス画面４００上で追加ボタン４７が押下された場合（ステップＳ４０７で追加）、ＵＩ部２に図６に示す発信者番号追加画面６００が表示される（ステップＳ４０９）。この発信者番号追加画面６００上の番号入力欄６０１に、追加する番号が入力され（ステップＳ４１２）、ＯＫボタン６０２が押下されると（ステップＳ４１４でＯＫ）、入力された内容がヘッダー情報ＤＢ制御部１５によりヘッダー情報ＤＢ１４に追加登録される（ステップＳ４１７）。
【００５２】
さらに、メンテナンス画面４００上で削除ボタン４６が押下された場合（ステップＳ４０７で削除）、ＵＩ部２に図７に示す発信者番号削除画面７００が表示される（ステップＳ４１０）。発信者番号削除画面７００上でＯＫボタン７０１が押下されると（ステップＳ４１５でＯＫ）、メンテナンス画面４００上で削除ボタン４６が押下された発信者番号がヘッダー情報ＤＢ制御部１５によりヘッダー情報ＤＢ１４から削除される（ステップＳ４１８）。
【００５３】
図１０ｃにおいて、ＵＩ部２に表示されるメンテナンス画面４００にてＯＫボタン４８が押下されると、ヘッダー情報ＤＢ制御部１５によりヘッダー情報ＤＢ１４に対するこれまでの入力内容が確定（ステップＳ４２２）され、メンテナンス画面４００が閉じる。なお、変更禁止のチェックボックス４３にチェックが入力された場合は、発信者番号一覧４４に表示されているすべての発信者番号のレコードに対し、変更禁止フラグを「１」で更新する。
【００５４】
一方、ＵＩ部２に表示されるメンテナンス画面４００にてキャンセルボタン４９が押下されると、ヘッダー情報ＤＢ制御部１５によりヘッダー情報ＤＢ１４に対するこれまでの入力内容が破棄（ステップＳ４２１）され、メンテナンス画面が閉じる。
【００５５】
次に、図１のファクシミリ装置１００におけるファクシミリ送信処理について図１１ａ、図１１ｂ、及び図１９を参照して説明する。
【００５６】
図１１ａ及び図１１ｂは、図１のファクシミリ装置１００におけるファクシミリ送信処理を示すフローチャートである。
【００５７】
図１１ａにおいて、ファクシミリ装置１００では、ユーザがＵＩ部２のテンキー（不図示）を押下してダイヤルするかもしくは短縮ダイヤルキーを押下することにより、送信元番号をダイヤルすると（ステップＳ２００）、ダイヤルした電話番号をＲＡＭ２２に記憶する（ステップＳ２０１）。続いて、読取部３により原稿を読み取り（ステップＳ２０２）、読み取った原稿の画像データに対してＯＣＲ認識部１６がＯＣＲ認識処理（ステップＳ２０３）を行う。このＯＣＲ認識処理の詳細については後述する。
【００５８】
次に、ＯＣＲ認識部１６は、ＯＣＲ認識処理の結果から、送信原稿の上下端（または左右端）のヘッダー部分にＦＡＸ番号（Ｈ）があるかどうかを判定する（ステップＳ２０４）。ＦＡＸ番号（Ｈ）がないと判定した場合は、通常のファクシミリ送信処理（図１１ｂのステップＳ２１４）に移行する。一方、ＦＡＸ番号（Ｈ）があると判定した場合、ヘッダー情報ＤＢ制御部１５により、そのＦＡＸ番号（Ｈ）をキーにしてヘッダー情報ＤＢ１４から発信者番号を取得する（ステップＳ２０５）。
【００５９】
図１１ｂにおいて、ステップＳ２０６では、該ＦＡＸ番号（Ｈ）に対応する発信者番号がいくつあるかを判定する。１つもない、すなわちＦＡＸ番号（Ｈ）に対応する発信者番号がない場合はステップＳ２０７へ、１件のみある場合はステップＳ２０８へ、２件以上ある場合はステップＳ２１０へ移行する。
【００６０】
ステップＳ２０７では、ＦＡＸ番号（Ｈ）がダイヤルした電話番号と一致しているかどうかを判定する。一致していると判定した場合、正しい送信元番号をダイヤルしたと判断して、そのまま通常のファクシミリ送信処理（ステップＳ２１４）を行う。一方、一致しないと判定した場合は、誤送信の恐れがあるため、図１２に示す第１の宛先確認画面を表示（ステップＳ２０９）してユーザに警告を行い、ステップＳ２１１へ移行する。
【００６１】
ステップ２０８では、発信者番号がダイヤルした電話番号と一致しているかどうかを判定する。一致していると判定した場合、正しい送信元番号をダイヤルしたと判断して、そのままファクシミリ送信処理（ステップＳ２１４）を行う。一致しないと判定した場合は、誤送信の恐れがあるため、図１２に示す第１の宛先確認画面を表示（ステップＳ２０９）してユーザに警告を行い、ステップＳ２１１へ移行する。
【００６２】
ステップＳ２１１では、図１２に示す第１の宛先確認画面上でどのボタンが押下されたかを判定する。送信ボタン１２０１が押下されたと判定した場合は、通常のファクシミリ送信処理（ステップＳ２１４）を行う。一方、送信先変更ボタン１２０２が押下されたと判定した場合は、例えば、図示のように、送信先をダイヤルした電話番号から、ＯＣＲ認識処理により得られたＦＡＸ番号（Ｈ）に変更する（ステップＳ２１３）。また、第１の宛先確認画面上の「←この番号に送信されます」の表示が移動し、送信先としてどの番号が選択されているかを明示する。一方、中止ボタン１２０３が押下されたと判定した場合は、処理を中断して原稿を送信しない。
【００６３】
ステップＳ２１０では、図１３に示す第２の宛先確認画面にてＦＡＸ番号（Ｈ）に対応するすべての発信者番号（送信元番号）を一覧表示し、ユーザに確認を促す。ここでは、ダイヤルした電話番号と一致している発信者番号が反転表示（図示の斜線部）される。また、一覧表示された複数の発信者番号の中から任意の番号を選択することで反転表示を変更することができる。
【００６４】
ステップＳ２１２では、第２の宛先確認画面上のどのボタンが押下されたかを判定する。送信ボタン１３０１が押下されたと判定した場合は、通常のファクシミリ送信処理（ステップＳ２１４）を行う。一方、送信先変更ボタン１３０２が押下されたと判定した場合は、送信先をダイヤルした電話番号から、反転表示されている番号に変更する（ステップＳ２１６）。また、第２の宛先確認画面上の「←この番号に送信されます」の表示が移動し、送信先としてどの番号が選択されているかを明示する。一方、中止ボタン１３０３が押下されたと判定した場合は、処理を中断して原稿を送信しない。
【００６５】
ステップＳ２１４のファクシミリ送信処理が終了した後、送信原稿のイメージが外部制御装置３２に保存される（ステップＳ２１５）。
【００６６】
図１９は、図１１ａのステップＳ２０３におけるＯＣＲ認識処理の詳細を示すフローチャートである。
【００６７】
原稿のヘッダー部分にファクシミリ番号が含まれているかどうかを認識するための処理フローである。
【００６８】
まず、ステップＳ３０２では、ＯＣＲ認識部１６は、読取部３で読み取った原稿の画像データの上下端部（または左右端部）に対して文字認識（ＯＣＲ）を行う。原稿の上下端部のＯＣＲを行う理由は、同一原稿を利用したファクシミリ送受信を繰り返すうちに、ヘッダー情報が上下端両方に印字される場合があり、これに対応するためである。また、左右端部の文字認識については、原稿の送信方向が９０°変更された場合を想定したものである。
【００６９】
次に、ステップＳ３０３では、ステップＳ３０２でＯＣＲを行った結果、ヘッダー領域、すなわちヘッダー情報が印字されている領域を認識したかを判定する。ヘッダー領域を認識できなかった場合は、そのままリターンする。一方、ヘッダー領域を１件認識した場合は、当該ヘッダー領域からＦＡＸ番号（Ｈ）を抽出してＲＡＭ２２に記憶する（ステップＳ３０５）。さらに、ヘッダー領域を２件認識した場合は、各ヘッダー領域からＦＡＸ番号（Ｈ）と日時を抽出し（ステップＳ３０４）、抽出した日時を比較して日時の新しい方のＦＡＸ番号（Ｈ）をＲＡＭ２２に記憶する（ステップＳ３０６）。
【００７０】
以上説明したように、ファクシミリ送信時に送信原稿上のＦＡＸ番号（Ｈ）をＯＣＲ認識して、ヘッダー情報ＤＢから取得した発信者番号と実際にダイヤルした電話番号とを比較することにより、誤送信を防止することができる。
【００７１】
上記第１の実施形態によれば、ファクシミリ受信した際に、通知された発信者番号とＴＳＩ信号に含まれるＦＡＸ番号（Ｈ）とを対応付けてヘッダー情報ＤＢ１４に記憶する。そして、受信した原稿に印字されたヘッダー情報に基づいて当該原稿の返信を行う際に、ダイヤルした電話番号、該ヘッダー情報から抽出されたＦＡＸ番号（Ｈ）及びヘッダー情報ＤＢ１４から取得した発信者番号を比較して、送信元の電話番号の正否判定を行う。これにより、受信した原稿を返送する際の誤送信を防止すると共に、ユーザの作業負荷を軽減し、信頼性の高いファクシミリ送信を行うことが可能になる。
【００７２】
［第２の実施形態］
本発明の第２の実施の形態に係るファクシミリ装置１００は、その構成（図１及び図２）が上記第１の実施の形態に係るファクシミリ装置１００と同じであり、第１の実施の形態と同様の部分については、同一の符号を用いてその説明を省略する。以下に、上記第１の実施の形態と異なる点のみを説明する。
【００７３】
上記第１の実施形態では、ユーザがダイヤル操作を通常のファクシミリ送信と同じく手動で行っているが、本第２の実施形態では、ＯＣＲ認識を利用することによりユーザのダイヤル操作によらずに自動的にファクシミリ送信を行う。
【００７４】
図１４ａ及び図１４ｂは、本発明の第２の実施形態に係るファクシミリ装置１００のファクシミリ送信処理を示すフローチャートである。なお、図１１ａ及び図１１ｂに示したフローチャートと処理内容が同じステップについては、同じステップ番号を記載して、その説明を省略する。
【００７５】
図１４ａにおいて、ファクシミリ装置１００では、まず、読取部３にて原稿の読み取りを開始する（ステップＳ５００）。次に、読み取った原稿の画像データに対してＯＣＲ認識部１６がＯＣＲ認識処理（ステップＳ２０３、図１９参照）を行う。
【００７６】
次に、ＯＣＲ認識部１６が送信原稿の上下端（または左右端）のヘッダー部分にＦＡＸ番号（Ｈ）があるかどうかを判定する（ステップＳ５０１）。ＦＡＸ番号（Ｈ）がないと判定した場合は、図１８に示す第６の宛先確認画面を表示（ステップＳ５０８）し、ＦＡＸ番号（Ｈ）がないことをユーザに警告して、ファクシミリ送信処理を中止する。
【００７７】
一方、ＦＡＸ番号（Ｈ）があると判定した場合は、ヘッダー情報ＤＢ制御部１５により、そのＦＡＸ番号（Ｈ）をキーにしてヘッダー情報ＤＢ１４から発信者番号を取得する（ステップＳ５０２）。
【００７８】
図１４ｂにおいて、ステップＳ５０３では、該ＦＡＸ番号（Ｈ）に対応する発信者番号がいくつあるかを判定する。１つもない、すなわちＦＡＸ番号（Ｈ）に対応する発信者番号がない場合はステップＳ５０５へ、１件のみある場合はステップＳ５０４へ、２件以上ある場合はステップＳ５０７へ移行する。
【００７９】
ステップＳ５０４では、ＦＡＸ番号（Ｈ）と発信者番号とが一致しているかどうかを判定する。一致していると判定した場合、正しい送信元番号をダイヤルしたと判断して、そのまま通常のファクシミリ送信処理（ステップＳ２１４）を行う。一方、一致しないと判定した場合は、誤送信の恐れがあるため、図１６に示す第４の宛先確認画面を表示（ステップＳ５０６）してユーザに警告を行い、ステップＳ５０９へ移行する。
【００８０】
ステップＳ５０５では、図１５に示す第３の宛先確認画面を表示し、ＯＣＲ認識処理をして得られたＦＡＸ番号（Ｈ）が正しいかどうかの確認を促す。つづいて、第３の宛先確認画面上でどのボタンが押下されたかを判定する（ステップＳ５１１）。送信ボタン１５０１が押下されたと判定した場合は、通常のファクシミリ送信処理（ステップＳ２１４）を行う。一方、中止ボタン１５０２が押下されたと判定した場合は、処理を中断して原稿を送信しない。
【００８１】
ステップＳ５０９では、図１６に示す第４の宛先確認画面上でどのボタンが押下されたかを判定する。送信ボタン１６０１が押下されたと判定した場合は、通常のファクシミリ送信処理（ステップＳ２１４）を行う。一方、送信先変更ボタン１６０２が押下されたと判定した場合は、例えば、図示のように、送信先を、ヘッダー情報ＤＢ１４から取得した発信者電話から、ＯＣＲ認識処理で得られたＦＡＸ番号（Ｈ）に変更する（ステップＳ５１３）。また、第４の宛先確認画面上の「←この番号に送信されます」の表示が移動し、送信先としてどの番号が選択されているかを明示する。一方、中止ボタン１６０３が押下されたと判定した場合は、処理を中断して原稿を送信しない。
【００８２】
ステップＳ５０７では、図１７に示す第５の宛先確認画面にてＦＡＸ番号（Ｈ）に対応するすべての発信者番号（送信元番号）を一覧表示し、ユーザに確認を促す。ここでは、ＯＣＲ認識処理で得られたＦＡＸ番号（Ｈ）と一致している発信者番号が反転表示（図示の斜線部）される。また、一覧表示された複数の発信者番号の中から任意の番号を選択することで反転表示を変更することができる。
【００８３】
ステップＳ５１０では、第５の宛先確認画面上のどのボタンが押下されたかを判定する。送信ボタン１７０１が押下されたと判定した場合は、通常のファクシミリ送信処理（ステップＳ２１４）を行う。一方、送信先変更ボタン１７０２が押下されたと判定した場合は、送信先をヘッダー情報ＤＢ１４から取得した発信電話番号から、ＯＣＲ認識処理で得られたＦＡＸ番号（Ｈ）に変更する（ステップＳ５１４）。また、第５の宛先確認画面上の「←この番号に送信されます」の表示が移動し、送信先としてどの番号が選択されているか明示する。一方、中止ボタン１７０３が押下されたと判定した場合は、処理を中断して原稿を送信しない。
【００８４】
ステップＳ２１４のファクシミリ送信処理が終了した後、送信原稿のイメージを外部制御装置３２に保存される（ステップＳ２１５）。
【００８５】
上記第２の実施形態によれば、ファクシミリ受信した際に、通知された発信者番号とＴＳＩ信号に含まれるＦＡＸ番号（Ｈ）とを対応付けてヘッダー情報ＤＢ１４に記憶する。そして、受信した原稿に印字されたヘッダー情報に基づいて当該原稿の返信を行う際に、該ヘッダー情報から抽出されたＦＡＸ番号（Ｈ）及びヘッダー情報ＤＢ１４から取得した発信者番号を比較して、送信元の電話番号の正否判定を行う。これにより、受信した原稿を返送する際の誤送信を防止すると共に、ユーザの作業負荷を軽減し、信頼性の高いファクシミリ送信を行うことが可能になる。
【００８６】
本発明は、例えば、システム、装置、方法、プログラムもしくは記憶媒体等としての実施態様をとることが可能であり、具体的には、複数の機器から構成されるシステムに適用してもよいし、また、一つの機器からなる装置に適用してもよい。
【００８７】
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
【００８８】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００８９】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００９０】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００９１】
【図１】本発明の第１の実施形態に係るファクシミリ装置の機能構成を示すブロック図である。
【図２】図１のファクシミリ装置のハードウェア構成を示すブロック図である。
【図３】送信したＦＡＸ原稿が利用されて送信先から返信されたＦＡＸ原稿の一例を示す図である。
【図４】ヘッダー情報ＤＢに登録された情報のメンテナンス時にＵＩ部に表示されるメンテナンス画面の一例を示す図である。
【図５】メンテナンス時にＵＩ部に表示される発信者番号変更画面の一例を示す図である。
【図６】メンテナンス時にＵＩ部に表示される発信者番号追加画面の一例を示す図である。
【図７】メンテナンス時にＵＩ部に表示される発信者番号削除画面の一例を示す図である。
【図８】ヘッダー情報ＤＢに登録される情報の一例を示す図であり、（ａ）はＦＡＸ番号（Ｈ）と発信者番号とを対応させたもの、（ｂ）は（ａ）に対して変更禁止フラグを対応させたものを示す。
【図９】図１のファクシミリ装置におけるファクシミリ受信処理を示すフローチャートである。
【図１０ａ】ヘッダー情報ＤＢのメンテナンス時の処理の一例を示すフローチャートである。
【図１０ｂ】ヘッダー情報ＤＢのメンテナンス時の処理の一例を示すフローチャートである。
【図１０ｃ】ヘッダー情報ＤＢのメンテナンス時の処理の一例を示すフローチャートである。
【図１１ａ】図１のファクシミリ装置におけるファクシミリ送信処理を示すフローチャートである。
【図１１ｂ】図１のファクシミリ装置におけるファクシミリ送信処理を示すフローチャートである。
【図１２】ファクシミリ送信処理時にＵＩ部に表示される第１の宛先確認画面の一例を示す図である。
【図１３】ファクシミリ送信処理時にＵＩ部に表示される第２の宛先確認画面の一例を示す図である。
【図１４ａ】本発明の第２の実施形態に係るファクシミリ装置のファクシミリ送信処理を示すフローチャートである。
【図１４ｂ】本発明の第２の実施形態に係るファクシミリ装置のファクシミリ送信処理を示すフローチャートである。
【図１５】ファクシミリ送信処理時にＵＩ部に表示される第３の宛先確認画面の一例を示す図である。
【図１６】ファクシミリ送信処理時にＵＩ部に表示される第４の宛先確認画面の一例を示す図である。
【図１７】ファクシミリ送信処理時にＵＩ部に表示される第５の宛先確認画面の一例を示す図である。
【図１８】ファクシミリ送信処理時にＵＩ部に表示される第６の宛先確認画面の一例を示す図である。
【図１９】図１１ａのステップＳ２０３におけるＯＣＲ認識処理の詳細を示すフローチャートである。
【符号の説明】
【００９２】
１  制御部
２  ＵＩ部
３  読取部
１０  ＣＰＵ
１２  発信者番号認識部
１３  ＴＳＩ信号認識部
１４  ヘッダー部情報ＤＢ
１５  ヘッダー情報ＤＢ制御部
１６  ＯＣＲ認識部
３３  通信相手端末
１００  ファクシミリ装置
【図１】
2010109809.tif 000003
【図２】
2010109809.tif 000004
【図３】
2010109809.tif 000005
【図４】
2010109809.tif 000006
【図５】
2010109809.tif 000007
【図６】
2010109809.tif 000008
【図７】
2010109809.tif 000009
【図８】
2010109809.tif 000010
【図９】
2010109809.tif 000011
【図１０ａ】
2010109809.tif 000012
【図１０ｂ】
2010109809.tif 000013
【図１０ｃ】
2010109809.tif 000014
【図１１ａ】
2010109809.tif 000015
【図１１ｂ】
2010109809.tif 000016
【図１２】
2010109809.tif 000017
【図１３】
2010109809.tif 000018
【図１４ａ】
2010109809.tif 000019
【図１４ｂ】
2010109809.tif 000020
【図１５】
2010109809.tif 000021
【図１６】
2010109809.tif 000022
【図１７】
2010109809.tif 000023
【図１８】
2010109809.tif 000024
【図１９】
2010109809.tif 000025